(57)【要約】      （修正有）【課題】弦楽器の音響特性を利用者が調整可能とする。【解決手段】ギターは、内部の音響空間に連通する響孔５２および開口部５７Ａ〜５７Ｅが形成された本体部５０と、本体部５０に一端が固定された弦とを具備する。本体部５０には、本体部５０に装着された状態で開口部５７Ａ〜５７Ｅを閉塞して弦の振動とともに振動する調整部材が着脱可能に装着される。本体部５０に装着された調整部材を、当該調整部材とは振動特性が相違する他の調整部材に交換することにより、利用者はギターの音響特性（音色）を調整することができる。【選択図】図２
2015079084.tif 000002
【特許請求の範囲】
【請求項１】
内部の音響空間に連通する響孔および開口部が形成された本体部と、
前記本体部に一端が固定された弦と、
前記本体部に対して着脱可能な部材であって、前記本体部に装着された状態で前記開口部を閉塞して前記弦の振動とともに振動する調整部材と
を具備する弦楽器。
【請求項２】
前記本体部は、前記響孔と前記開口部とが形成された表板を含み、
前記調整部材は、前記表板の前記開口部を閉塞する
請求項１の弦楽器。
【請求項３】
前記本体部の内壁面に設置された響棒と、
前記本体部の表面に設置されて前記調整部材の周縁部を保持する保持体とを具備し、
前記保持体は、平面視で前記響棒に沿う形状に形成される
請求項１または請求項２の弦楽器。
【請求項４】
前記本体部には、複数の開口部が形成され、
前記調整部材は、前記複数の開口部の各々を閉塞する複数の調整体を含む
請求項１から請求項３の何れかの弦楽器。
【発明の詳細な説明】
【技術分野】
【０００１】
本発明は、弦楽器の音響特性を調整する技術に関する。
【背景技術】
【０００２】
自然楽器の音響特性（例えば音色や音量）を調整するための技術が従来から提供されている。例えば特許文献１には、アコースティックギター等の弦楽器の音色を調整する技術が開示されている。具体的には、弦楽器の胴体の内壁面に固定される響棒（力木）に透孔を形成し、透孔の大きさや個数を適宜に変更することで弦楽器の音色が調整される。
【先行技術文献】
【特許文献】
【０００３】
【特許文献１】特開２００８−５２０５４号公報
【発明の概要】
【発明が解決しようとする課題】
【０００４】
利用者（演奏者）が意図する演奏表現や利用者の嗜好に応じて弦楽器の音響特性を調整したいという要望がある。特許文献１の技術では、目的の音色に応じた透孔が製造段階で響棒に形成されるから、弦楽器の音響特性を利用者が事後的に調整することは実質的に不可能である。以上の事情を考慮して、本発明は、利用者が弦楽器の音響特性を調整することを可能にすることを目的とする。
【課題を解決するための手段】
【０００５】
以上の課題を解決するために、本発明の弦楽器は、内部の音響空間に連通する響孔および開口部が形成された本体部と、本体部に一端が固定された弦と、本体部に対して着脱可能な部材であって、本体部に装着された状態で開口部を閉塞して前記弦の振動とともに振動する調整部材とを具備する。以上の構成では、本体部に形成された開口部を閉塞することで本体部と協働して音響空間を画定する調整部材が本体部に対して着脱可能である。したがって、本体部に装着された調整部材を、当該調整部材とは振動特性が相違する他の調整部材に交換することにより、利用者は弦楽器の音響特性を調整することができる。
【０００６】
本発明の好適な態様において、本体部は、響孔と開口部とが形成された表板を含み、調整部材は、表板の開口部を閉塞する。以上の態様では、弦と音響空間との間に位置する表板に形成された開口部が調整部材により閉塞される。したがって、例えば弦楽器の側板や裏板に開口部を形成した構成と比較して弦楽器の音響特性を効果的に調整できるという利点がある。なお、表板は、響孔が形成された板材であり、弦楽器の通常の演奏時に受聴者側（演奏者とは反対側）に位置する響板を意味する。
【０００７】
本発明の好適な態様に係る弦楽器は、本体部の内壁面に設置された響棒を具備し、開口部は、響棒に重ならない位置に形成される。以上の態様では、響棒に重ならない位置に開口部が形成されるから、例えば響棒に重なる位置に開口部を形成した構成と比較して、本体部の機械的な強度の低下を抑制できるという利点がある。
【０００８】
本発明の好適な態様の弦楽器は、本体部の表面に設置されて調整部材の周縁部を保持する保持体を具備し、保持体は、平面視で響棒に沿う形状に形成される。以上の態様では、調整部材を保持する保持体が平面視で響棒に沿う形状に形成されるから、響棒とは無関係に保持体を形成した構成と比較して、本体部や響棒の振動が保持体を介して調整部材に伝達され易く、弦楽器の音響特性を効果的に調整できるという利点がある。
【０００９】
本発明の好適な態様において、本体部には、複数の開口部が形成され、調整部材は、複数の開口部の各々を閉塞する複数の調整体を含む。以上の態様では、本体部に形成された複数の開口部の各々が別個の調整体で閉塞されるから、本体部に開口部が１個だけ形成された構成と比較して弦楽器の音響特性を多様に調整できるという利点がある。例えば、振動特性が相違する複数の調整体を本体部に装着することで、調整体の組合せに応じた多様な音響特性が実現される。
【００１０】
本発明の好適な態様において、複数の調整体は、平面視で弦を挟んで相互に反対側に位置する第１調整体と第２調整体とを含む。以上の態様では、第１調整体と第２調整体とが弦を挟んで相互に反対側に位置する。したがって、弦楽器から弦を取外すことなく第１調整体と第２調整体とを本体部に対して着脱できるという利点がある。
【図面の簡単な説明】
【００１１】
【図１】本発明の実施形態に係るギターの外観図である。
【図２】ギターを構成する胴体の外観図である。
【図３】表板の裏面の外観図である。
【図４】胴体の断面図である。
【図５】調整部材をスプルース材で形成した場合の放射音の時間波形である。
【図６】調整部材をローズウッド材で形成した場合の放射音の時間波形である。
【図７】調整部材を塩化ビニル樹脂で形成した場合の放射音の時間波形である。
【図８】調整部材を発泡塩化ビニル樹脂で形成した場合の放射音の時間波形である。
【図９】調整部材をスプルース材で形成した場合の放射音の周波数特性である。
【図１０】調整部材をローズウッド材で形成した場合の放射音の周波数特性である。
【図１１】調整部材を塩化ビニルで形成した場合の放射音の周波数特性である。
【図１２】調整部材を発泡塩化ビニルで形成した場合の放射音の周波数特性である。
【図１３】変形例におけるギターの断面図である。
【図１４】変形例における表板および響棒の外観図である。
【図１５】変形例における表板および響棒の外観図である。
【図１６】変形例における本体部の外観図である。
【発明を実施するための形態】
【００１２】
図１は、本発明の好適な形態に係るギター（アコースティックギター）１００の外観図である。図１に示すように、ギター１００は、ヘッド１０とネック２０と胴体３０と複数の弦４０とを具備する弦楽器である。長尺状のネック２０の基端部が胴体３０に固定され、ネック２０の先端部にヘッド１０が固定される。ヘッド１０は、各弦４０の一方の端部が固定されるペグ１２を含んで構成される。胴体３０は、弦４０の振動を共鳴させる音響空間が内部に形成された中空の共鳴胴であり、本体部５０と調整部材６０とを含んで構成される。
【００１３】
図２は、本体部５０から調整部材６０を取外した状態の胴体３０の外観図である。図２に示すように、本体部５０は、表板５３と側板５４と裏板５５とを含んで構成される。表板５３と側板５４と裏板５５とは、木材を所定の形状に裁断した平板材である。例えば、表板５３はスプルース材から形成され、側板５４および裏板５５はローズウッド材から形成される。表板５３と裏板５５とは外形が概ね共通し、略一定の間隔をあけて相互に対向する。側板５４は、表板５３および裏板５５の外形に沿う形状に成形された帯状の板材であり、表板５３および裏板５５の各々の周縁を全周にわたり相互に連結して両者間の間隔を閉塞する。ギター１００の通常の演奏時には、表板５３は受聴者側に位置し、裏板５５は演奏者側に位置する。表板５３の表面（裏板５５とは反対側の表面）にはブリッジ（駒）５１が固定される。各弦４０のうちヘッド１０のペグ１２に固定される端部とは反対側の端部がブリッジ５１に固定される。すなわち、本体部５０のブリッジ５１とヘッド１０のペグ１２とにわたり所定の張力をもって複数の弦４０が架設される。
【００１４】
図３は、表板５３の裏面（裏板５５との対向面）の外観図である。図３に示すように、表板５３の裏面には、複数の響棒５８（５８A，５８B）が例えば接着剤で固定される。具体的には、表板５３の裏面を４個の領域に仕切るように相互に交差する直棒状の響棒５８Aと響棒５８Bとが表板５３の裏面に固定される。各響棒（力木）５８は、表板５３を補強する機能と表板５３の振動特性（ひいてはギター１００の音色）を調整する機能とを実現する。図２および図３に示すように、表板５３には、円形状の響孔（サウンドホール）５２と複数の開口部５７（５７A，５７B，５７C，５７D，５７E）とが形成される。図３から理解される通り、平面視で（表板５３の表面に垂直な方向からみて）各響棒５８に重ならない（各開口部５７が響棒５８で仕切られる）ように各開口部５７の位置および形状が選定される。すなわち、平面視で相互に隣合う各開口部５７の間に響棒５８が位置する。響孔５２は、平面視で響棒５８Aと響棒５８Bとの交点を挟んでブリッジ５１とは反対側に形成される。
【００１５】
図２に例示される通り、調整部材６０は、表板５３の相異なる開口部５７に対応する相互に別体の複数の調整体６２（６２A，６２B，６２C，６２D，６２E）を含んで構成される。各調整体６２は本体部５０に対して着脱される。各調整体６２は、当該調整体６２に対応する開口部５７に略相似な平面形状に成形され、本体部５０に装着されることで当該開口部５７を閉塞する。図２に示すように、調整体６２Aは開口部５７Aを閉塞する。同様に、調整体６２Bは開口部５７Bを閉塞し、調整体６２Cは開口部５７Cを閉塞し、調整体６２Dは開口部５７Dを閉塞し、調整体６２Eは開口部５７Eを閉塞する。本体部５０（表板５３，側板５４，裏板５５）と本体部５０（表板５３）の各開口部５７を閉塞する各調整体６２とで包囲された空間が、弦４０の振動を共鳴させる音響空間として機能する。以上の説明から理解される通り、音響空間に連通する響孔５２と各開口部５７とが本体部５０に形成されて調整部材６０で各開口部５７が閉塞される。すなわち、本体部５０と調整部材６０とが協働して共鳴用の音響空間が画定される。以上に説明した通り、ギター１００の本体部５０に平板状の調整体６２が装着されるから、既存のギターと同等の演奏感が維持されるという利点がある。
【００１６】
図１および図２から理解される通り、調整部材６０の調整体６２Aと調整体６２Bとは、弦４０（ギター１００の中心線）を挟んで相互に反対側に位置する。同様に、調整体６２Cと調整体６２Dとは、弦４０を挟んで相互に反対側に位置する。また、調整体６２Eは、ブリッジ５１を挟んでネック２０とは反対側に位置する。すなわち、調整部材６０の何れの調整体６２も、平面視で弦４０の両側にわたり連続しない。したがって、弦４０をヘッド１０のペグ１２と本体部５０のブリッジ５１とに架設した状態を維持したまま（すなわち弦４０を取外すことなく）、調整部材６０の各調整体６２を本体部５０に対して着脱できるという利点がある。
【００１７】
ギター１００には、複数の調整体６２（６２A，６２B，６２C，６２D，６２E）を各々が含む複数の調整部材６０が用意される。各調整体６２の振動特性は調整部材６０毎に相違する。本実施形態では、各調整体６２の材質が調整部材６０毎に相違する。利用者は、複数の調整部材６０から所望の１組の調整部材６０を選択し、当該調整部材６０の複数の調整体６２を本体部５０に装着する。また、複数の調整部材６０の各々から利用者の所望の組合せで選択された複数の調整体６２を本体部５０に装着することも可能である。すなわち、振動特性（材料）が相違する複数の調整体６２が本体部５０に装着される。以上の説明から理解される通り、本実施形態では、本体部５０に装着された調整体６２を、振動特性が相違する他の調整体６２に交換することが可能である。
【００１８】
図４は、図１におけるIV−IV線の断面図である。図２および図４に示すように、表板５３の表面（裏板５５とは反対側の表面）には、調整部材６０を本体部５０（表板５３）に固定するための保持体５６および固定体５９が設置される。図２に示すように、保持体５６は、各開口部５７の内周縁のうち表板５３の外形線（輪郭線）に相当する部分以外の周縁に平面視で沿う形状に形成される。前述の通り各開口部５７は響棒５８に対応する位置および形状に形成されるから、図２から把握される通り、平面視で響棒５８に沿う形状に保持体５６が形成されるとも換言される。
【００１９】
図４に示すように、各保持体５６は、表板５３に固定された基礎部５６１と、基礎部５６１から開口部５７側に張出す対向部５６２とを含んで構成される。対向部５６２は、調整部材６０の各調整体６２の板厚に相当する間隔をあけて表板５３の表面に対向する。図４に示すように、調整体６２の周縁部が対向部５６２と表板５３との間に挟持される（対向部５６２と表板５３との間に嵌合する）ことで、表板５３の表面に垂直な方向に対する調整体６２の移動が規制される。一方、対向部５６２と表板５３との間に周縁部が挟持された調整体６２は、基礎部５６１とは反対側に向けて表板５３に平行な方向に移動させることができる。周縁部が平面視で対向部５６２と重ならない位置まで調整体６２を移動させることで、調整体６２を保持体５６から取外すことができる。
【００２０】
固定体５９は、各調整体６２が保持体５６により保持された状態で、表板５３に平行な方向に対する調整体６２の移動を規制する。本実施形態の固定体５９は、図４に例示されるビスであり、調整体６２のうち側板５４に重なる周縁部に形成された貫通孔を通過するとともに表板５３および側板５４に到達して固定される。以上の説明から理解される通り、保持体５６と固定体５９とが協働することで、表板５３に垂直な方向および平行な方向に対する調整体６２の移動が制限されて、調整体６２が本体部５０に装着される。
【００２１】
利用者は、本体部５０に保持された各調整体６２（６２A，６２B，６２C，６２D，６２E）を他の種類の調整体６２に交換することができる。具体的には、利用者は、第１に、固定体５９を取外したうえで、保持体５６とは反対側に向けて調整体６２を表板５３に略平行な方向に移動させることで調整体６２を取外す。第２に、利用者は、調整体６２の取外しとは逆の要領で他の調整体６２を本体部５０に取付ける。具体的には、利用者は、本体部５０の表板５３に略平行な姿勢で各調整体６２を移動させることで調整体６２の周縁部を保持体５６の対向部５６２と表板５３との間に挿入して保持し、以上の状態で調整体６２を固定体５９により本体部５０に固定する。以上に説明した通り、各調整体６２は本体部５０に対して着脱可能である。
【００２２】
以上の構成において、利用者の撥弦により発生した弦４０の振動は、ブリッジ５１を介して表板５３と各調整体６２とに伝播し、表板５３と各調整体６２との振動に応じた音響が胴体３０の前方（表板５３を挟んで裏板５５とは反対側の空間）に放射される。また、表板５３と各調整体６２との振動は、胴体３０の内部の音響空間の空気に伝播し、音響空間内の共鳴により増幅されたうえで表板５３や各調整体６２や響孔５２を介して胴体３０の前方に放射される。以上の説明から理解される通り、ギター１００からの放射音は各調整体６２の振動に起因するから、放射音の音色（周波数特性）は調整部材６０の振動特性に依存する。
【００２３】
以上に説明した通り、本実施形態では、本体部５０と協働して音響空間を画定する調整部材６０が、本体部５０に対して着脱可能である。したがって、利用者（演奏者）は、調整部材６０を振動特性が相違する他の調整部材６０に変更することで、以下に詳述する通り、ギター１００の音響特性（例えば音色や音量）を調整することができる。
【００２４】
調整部材６０の材料を相違させた各場合におけるギター１００の放射音の時間波形が図５から図８に図示され、各場合における放射音の周波数特性が図９から図１２に図示されている。具体的には、図５および図９は、調整部材６０をスプルース材で形成した場合の特性であり、図６および図１０は、調整部材６０をローズウッド材で形成した場合の特性である。また、図７および図１１は、調整部材６０を塩化ビニル樹脂で形成した場合の特性であり、図８および図１２は、調整部材６０を発泡塩化ビニル樹脂で形成した場合の特性である。演奏条件（演奏した音高や撥弦の強度）は各場合で共通する。図５ないし図１２から理解される通り、ギター１００の放射音の時間波形や周波数特性（包絡線の形状）は、調整部材６０の材料に応じて変化する。すなわち、調整部材６０を交換することでギター１００の音色を調整できることが図５ないし図１２から理解される。
【００２５】
＜変形例＞
前述の形態は多様に変形され得る。具体的な変形の態様を以下に例示する。以下の例示から任意に選択された２以上の態様は適宜に併合され得る。
【００２６】
（１）調整部材６０を本体部５０に固定するための固定体５９の形態は前述の例示（ビス）に限定されない。例えば、図１３に例示されるクリップ（板バネ）が固定体５９として採用される。図１３の固定体５９は、例えば金属板を屈曲させて形成され、所定の間隔をあけて相互に対向する挟持部５９１および挟持部５９２と、挟持部５９１および挟持部５９２を連結する連結部５９３とを含んで構成される。図１３に示すように、固定体５９の挟持部５９１が側板５４の貫通孔に挿入されるとともに挟持部５９２が調整体６２の表面に当接する。すなわち、挟持部５９１と挟持部５９２とにより調整体６２と表板５３とが挟持されることで、調整部材６０と本体部５０とが固定される。また、例えば反復的に着脱可能な接着剤を利用して調整部材６０を本体部５０に固定する構成や、本体部５０および調整体６２の一方に形成された溝と他方に形成された突起とを係合させて両者を相互に固定する構成（蟻溝構造）も採用される。すなわち、本体部５０とは別体の固定体５９は省略され得る。
【００２７】
（２）表板５３の形態（開口部５７の位置や形状）および響棒５８の形態（位置や形状）は前述の形態での例示に限定されない。例えば、図１４に例示される通り、弦４０（ギター１００の中心線）に略平行または略垂直な方向に響棒５８を配置することも可能である。図１４の構成では、響棒５８が中心線に対して傾斜する構成（図３）と比較すると、製造工程において響棒５８の位置や方向の調整が容易である（したがって製造効率が高い）という利点がある。また、図１５に例示される通り、３本以上の響棒５８を適宜に組合せて表板５３に固定することも可能である。図１５の構成によれば、表板５３に２本の響棒５８を固定した前述の形態と比較して表板５３の強度が向上するという利点がある。また、図１５の例示のように本体部５０（表板５３）に多数の開口部５７が形成されて各々に調整体６２が装着される構成によれば、開口部５７の総数が少ない構成と比較して、ギター１００の音色の微調整が可能であるという利点もある。
【００２８】
図１４や図１５の例示からも理解される通り、開口部５７の総数（調整体６２の総数）や響棒５８の総数は本発明において任意である。例えば、本体部５０に１個の開口部５７を形成して１個の調整体６２で閉塞することも可能である。ただし、複数の開口部５７を形成して各々を別体の調整体６２で閉塞する構成によれば、本体部５０に装着する複数の調整体６２の組合せを適宜に変更することで、開口部５７が１個である構成と比較してギター１００の音響特性を多様に調整できるという利点がある。
【００２９】
（３）前述の形態では、本体部５０のうち響棒５８に重ならない位置に開口部５７を形成したが、響棒５８と開口部５７との関係は以上の例示に限定されない。例えば、図１６に例示される通り、響棒５８に重なるように開口部５７を形成した構成（開口部５７の内側に響棒５８が露出する構成）も採用され得る。
【００３０】
（４）前述の形態では、表板５３に開口部５７を形成して調整部材６０を装着したが、調整部材６０の装着対象（開口部５７の形成位置）は表板５３に限定されない。例えば、側板５４に開口部５７を形成して調整部材６０で閉塞する構成や、裏板５５に開口部５７を形成して調整部材６０で閉塞する構成も採用され得る。もっとも、ギター１００の音色（放射音の周波数特性）に対する影響は、本体部５０の側板５４や裏板５５と比較して表板５３のほうが大きい。したがって、前述の形態のように表板５３に開口部５７を形成して調整部材６０を装着する構成によれば、側板５４や裏板５５に調整部材６０を装着する構成と比較して、ギター１００の音色の調整幅を充分に確保できるという利点がある。
【００３１】
（５）前述の形態では、表板５３に複数の響棒５８を形成したが、響棒５８が形成される位置は表板５３に限定されない。例えば、表板５３に響棒５８を形成した構成とともに（またはこの構成に代えて）、裏板５５のうち表板５３との対向面に響棒５８を形成した構成も採用される。裏板５５のうち平面視で響棒５８に重ならない位置に開口部５７を形成することも可能である。以上の例示から理解される通り、響棒５８は、本体部５０の内壁面（典型的には、表板５３のうち裏板５５との対向面や裏板５５のうち表板５３との対向面）に設置された要素として包括的に表現される。
【００３２】
（６）前述の各形態では、ギター１００を例示したが、本発明を適用可能な弦楽器はギター１００に限定されない。例えば、バイオリン等の他の弦楽器にも本発明を適用することが可能である。
【符号の説明】
【００３３】
１００……ギター、１０……ヘッド、１２……ペグ、２０……ネック、３０……胴体、４０……弦、５０……本体部、５１……ブリッジ、５２……響孔、５３……表板、５４……側板、５５……裏板、５６……保持体、５７（５７A，５７B，５７C，５７D，５７E）……開口部、５８……響棒、５９……固定体、６０……調整部材、６２（６２A，６２B，６２C，６２D，６２E）……調整体。
【図１】
2015079084.tif 000003
【図２】
2015079084.tif 000004
【図３】
2015079084.tif 000005
【図４】
2015079084.tif 000006
【図５】
2015079084.tif 000007
【図６】
2015079084.tif 000008
【図７】
2015079084.tif 000009
【図８】
2015079084.tif 000010
【図９】
2015079084.tif 000011
【図１０】
2015079084.tif 000012
【図１１】
2015079084.tif 000013
【図１２】
2015079084.tif 000014
【図１３】
2015079084.tif 000015
【図１４】
2015079084.tif 000016
【図１５】
2015079084.tif 000017
【図１６】
2015079084.tif 000018